【手続補正書】
【提出日】平成19年1月15日(2007.1.15)
【手続補正１】
【補正対象書類名】明細書
【補正対象項目名】発明の名称
【補正方法】変更
【補正の内容】
【発明の名称】サーバシステム、端末装置およびサーバ装置
【手続補正２】
【補正対象書類名】明細書
【補正対象項目名】特許請求の範囲
【補正方法】変更
【補正の内容】
【特許請求の範囲】
【請求項１】  複数のコンテンツが記憶された大容量記憶手段と、
上記大容量記憶手段に記憶された複数のコンテンツから所定のコンテンツを選択し小容量記憶手段に上記所定のコンテンツを移動又は複写する移動又は複写手段とから構成されるサーバ装置と、
上記小容量記憶手段から所定のコンテンツを再生する際に、再生が行われる端末装置の種別情報を上記再生される所定のコンテンツと対応させてデータベースを更新するデータベース更新手段と、上記データベース更新手段にて更新されたデータベースを上記小容量記憶手段に記録する記録手段とから構成される上記小容量記憶手段を装着可能な端末装置とから成るサーバシステムにおいて、
上記小容量記憶手段に記憶された所定のコンテンツを上記大容量記憶手段に戻す際に、上記データベースも共に戻すことを特徴とするサーバシステム。
【請求項２】  上記データベースで管理される種別情報は、携帯端末、移動体端末、家庭内端末の少なくとも２つを表す情報であることを特徴とする請求項１記載のサーバシステム。
【請求項３】  上記サーバ装置は、上記小容量記憶手段に記憶された所定のコンテンツを上記大容量記憶手段に戻す際に共に転送されてくる上記データベースを分析する分析手段と、
上記分析手段によって分析された分析結果を表示する表示手段を更に備えたことを特徴とする請求項１記載のサーバシステム。
【請求項４】  上記表示手段は、端末装置の種別毎に上記所定のコンテンツの再生回数を示すことを特徴とする請求項３記載のサーバシステム。
【請求項５】  上記サーバ装置は、上記小容量記憶手段に記憶された所定のコンテンツを上記大容量記憶手段に戻す際に共に転送されてくる上記データベースを分析する分析手段と、
上記分析手段によって分析された分析結果に基づいて推奨コンテンツを生成する生成手段を更に備えたことを特徴とする請求項１記載のサーバシステム。
【請求項６】  上記データベース更新手段は更に上記再生される所定のコンテンツと対応させて再生時間情報も併せて管理することを特徴とする請求項１記載のサーバシステム。
【請求項７】  上記コンテンツは、オーデイオ、ビデオ、ゲームのいずれかであることを特徴とする請求項１記載のサーバシステム。
【請求項８】  上記サーバ装置は更にメインサーバと接続可能であり、上記サーバ装置は上記メインサーバに対して上記データベースと顧客識別コードを送信し、上記メインサーバは顧客全体のデータベースを管理分析することを特徴とする請求項１記載のサーバシステム。
【請求項９】  サーバ装置から送信されるコンテンツが記憶される着脱可能な記憶手段と、
上記記憶手段に記憶された所定のコンテンツの再生を行う再生手段と、
上記所定のコンテンツの再生が行われる毎に、自機器種別情報と再生されるコンテンツの再生回数を対応させたデータベースを生成するデータベース生成手段と、
上記サーバ装置から送信されたコンテンツを上記サーバ装置に戻す際に上記データベース生成手段にて生成したデータベースも伴に送信する送信手段とを備えてなる端末装置。
【請求項１０】  上記データベースで管理される自機器種別情報は、携帯端末、移動体端末、家庭内端末の少なくとも２つを表す情報であることを特徴とする請求項９記載の端末装置。
【請求項１１】  上記データベース更新手段は更に上記再生される所定のコンテンツと対応させて再生時間情報も併せて管理することを特徴とする請求項９記載の端末装置。
【請求項１２】  上記コンテンツは、オーデイオ、ビデオ、ゲームのいずれかであることを特徴とする請求項９記載の端末装置。
【請求項１３】  複数のコンテンツが記憶された大容量記憶手段と、
上記大容量記憶手段に記憶された複数のコンテンツから所定のコンテンツを選択し小容量記憶手段に上記所定のコンテンツを移動又は複写する移動又は複写手段と、
上記小容量記憶手段に記憶された所定のコンテンツを上記大容量記憶手段に戻す際に、上記小容量記憶手段が装着されて上記小容量記憶手内の所定コンテンツが再生される端末装置の種別情報と再生回数が対応つけられたデータベースと上記所定のコンテンツを伴に受信する受信手段とを備えたことを特徴とするサーバ装置。
【請求項１４】  上記データベースで管理される種別情報は、上記端末装置が携帯端末、移動体端末、家庭内端末の少なくとも２つを表す情報であることを特徴とする請求項１３記載のサーバ装置。
【請求項１５】  上記小容量記憶手段に記憶された所定のコンテンツを上記大容量記憶手段に戻す際に共に転送されてくる上記データベースを分析する分析手段と、
上記分析手段によって分析された分析結果を表示する表示手段を更に備えたことを特徴とする請求項１３記載のサーバ装置。
【請求項１６】  上記表示手段は、端末装置の種別毎に上記所定のコンテンツの再生回数を示すことを特徴とする請求項１５記載のサーバ装置。
【請求項１７】  上記小容量記憶手段に記憶された所定のコンテンツを上記大容量記憶手段に戻す際に共に転送されてくる上記データベースを分析する分析手段と、
上記分析手段によって分析された分析結果に基づいて推奨コンテンツを生成する生成手段を更に備えたことを特徴とする請求項１３記載のサーバ装置。
【請求項１８】  上記コンテンツは、オーデイオ、ビデオ、ゲームのいずれかであることを特徴とする請求項１３記載のサーバ装置。
【請求項１９】  上記サーバ装置は更にメインサーバと接続可能であり、上記サーバ装置は上記メインサーバに対して上記データベースと顧客識別コードを送信し、上記メインサーバは顧客全体のデータベースを管理分析することを特徴とする請求項１３記載のサーバ装置。
【請求項２０】  上記サーバ装置は上記メインサーバにてデータベースに基づいて生成された広告、宣伝情報を受信する受信手段を更に備えたことを特徴とする請求項１９記載のサーバ装置。
【手続補正３】
【補正対象書類名】明細書
【補正対象項目名】０００１
【補正方法】変更
【補正の内容】
【０００１】
【発明の属する技術分野】
この発明は、小容量記憶媒体に記録されたデータの再生情報を送受信することができ、その再生情報を分析してさまざまな情報を提供することができるサーバシステム、端末装置およびサーバ装置に関する。
【手続補正４】
【補正対象書類名】明細書
【補正対象項目名】０００８
【補正方法】変更
【補正の内容】
【０００８】
従って、この発明の目的は、既に媒体そのものを購入した楽曲であっても、配信によって得られた楽曲であっても、楽曲を再生した回数、時間、場所などを把握することができるサーバシステム、端末装置およびサーバ装置を提供することにある。
【手続補正５】
【補正対象書類名】明細書
【補正対象項目名】０００９
【補正方法】変更
【補正の内容】
【０００９】
【課題を解決するための手段】
請求項１に記載の発明は、複数のコンテンツが記憶された大容量記憶手段と、大容量記憶手段に記憶された複数のコンテンツから所定のコンテンツを選択し小容量記憶手段に所定のコンテンツを移動又は複写する移動又は複写手段とから構成されるサーバ装置と、小容量記憶手段から所定のコンテンツを再生する際に、再生が行われる端末装置の種別情報を再生される所定のコンテンツと対応させてデータベースを更新するデータベース更新手段と、データベース更新手段にて更新されたデータベースを小容量記憶手段に記録する記録手段とから構成される小容量記憶手段を装着可能な端末装置とから成るサーバシステムにおいて、小容量記憶手段に記憶された所定のコンテンツを大容量記憶手段に戻す際に、データベースも共に戻すことを特徴とするサーバシステムである。
【手続補正６】
【補正対象書類名】明細書
【補正対象項目名】００１０
【補正方法】変更
【補正の内容】
【００１０】
請求項９に記載の発明は、サーバ装置から送信されるコンテンツが記憶される着脱可能な記憶手段と、記憶手段に記憶された所定のコンテンツの再生を行う再生手段と、所定のコンテンツの再生が行われる毎に、自機器種別情報と再生されるコンテンツの再生回数を対応させたデータベースを生成するデータベース生成手段と、サーバ装置から送信されたコンテンツをサーバ装置に戻す際にデータベース生成手段にて生成したデータベースも伴に送信する送信手段とを備えてなる端末装置である。
請求項１３に記載の発明は、複数のコンテンツが記憶された大容量記憶手段と、大容量記憶手段に記憶された複数のコンテンツから所定のコンテンツを選択し小容量記憶手段に所定のコンテンツを移動又は複写する移動又は複写手段と、小容量記憶手段に記憶された所定のコンテンツを大容量記憶手段に戻す際に、小容量記憶手段が装着されて小容量記憶手内の所定コンテンツが再生される端末装置の種別情報と再生回数が対応つけられたデータベースと所定のコンテンツを伴に受信する受信手段とを備えたことを特徴とするサーバ装置である。